(57)【要約】【課題】センターホールを備えたセンターピースとディスク本体とを接着した構成であるため、光ディスク装置の個々の偏心量が測定できない。【解決手段】ディスク本体１０１、センターピース１０２及びセンターホール１０３を含み、ディスク本体１０１の中心Ｏ、センターピース１０２の中心Ｐ及びセンターホール１０３の中心Ｑを結ぶ直線ｋに対し直交する直線であって、ディスク本体１０１の中心Ｏを通る線をｌ、センターピース１０２の中心Ｐを通る直線をｍ、及びセンターホール１０３の中心Ｑを通る直線をｎとすると、ｌとｍとの間にオフセットαを、ｍとｎとの間にオフセットβを備え、センターピース１０２はディスク本体１０１に対して回転するテストディスクである。【選択図】図１
2006134489.tif 000002
【特許請求の範囲】
【請求項１】
ディスク本体と、前記光ディスク本体未満の径を有するセンターピースと、前記センターピースの内部にセンターホールを備え、
前記ディスク本体の中心と前記センターピースの中心との間に、前記ディスク本体の半径及び前記センターピースの半径の差分未満の第１のオフセット量と、
前記センターピースの中心と前記センターホールの中心との間に、前記センターピースの半径及び前記センターピースの半径の差分未満の第２のオフセット量とを有し、
前記センターピースの外周に沿って前記センターピースが回転可能な構成を備えることを特徴とするテストディスク。
【発明の詳細な説明】
【技術分野】
【０００１】
本発明は、光ディスク装置の再生性能もしくは記録性能の評価に使用するテストディスクに関する。
【背景技術】
【０００２】
近年、光による情報の記録再生を行う光ディスク関連の製品が市場に普及するようになってきて、市場に存在する様々な状態の光ディスクを再生もしくは記録する必要が生じている。一般に、光ディスクおよび光ディスク装置は互いが所定の規格を満足することを前提に構成されるが、光ディスク装置がその規格を満足しているかを評価する、もしくは光ディスク装置の再生限界性能を評価することが要求される。その規格における各種評価に使用するテストディスクの一つとして、光ディスクの中心に対して光ディスク装置のターンテーブルに装着するセンターホールの中心が所定のオフセット量を有するよう構成されたテストディスクが必要となる。
【０００３】
このようなテストディスクの一例として例えば特許文献１が知られている。以下図面を参照しながら、特許文献１に開示のテストディスクについて図５を参照して説明する。同図において、１はディスク本体、２はセンターホール、３はセンターピース、Ｐ1はディスク本体１の中心でトラックＴ（Ｔ0〜Ｔn）の中心でもあり、Ｐ2はセンターピース３の中心である。センターピース３の中心とセンターホール２の中心とは共にＰ2で一致するとともに、ディスク本体１の中心Ｐ1とセンターピース２の中心Ｐ2とは所定のオフセット量αとなるように接着剤等の手段を用いて接合されている。
【０００４】
以上のように構成されたテストディスクについて、以下その動作について説明する。図３のようにセンターピース３の中心とセンターホール２の中心とが共にＰ2で一致するとともに、ディスク本体１の中心Ｐ1とセンターピース３の中心Ｐ2とが所定のオフセット量αを有するテストディスクでは、ディスク本体１の中心Ｐ1とセンターホール２の中心Ｐ2も所定のオフセット量αを有するため、光ディスク装置にテストディスクを装着した場合の偏心量がオフセット量αと等しくなる。
【特許文献１】特開平１０−８３５０６号公報
【発明の開示】
【発明が解決しようとする課題】
【０００５】
しかしながら上記のようなテストディスクにおいて、センターピース３の中心とセンターホール２の中心とが共にＰ2で一致するとともに、ディスク本体１の中心Ｐ1とセンターピース３の中心Ｐ2が所定のオフセット量αとなるように接着剤等の手段を用いて接合されている方式では、接合後の偏心量調整ができないという課題を有していた。
【０００６】
本発明は、従来のテストディスクのこのような課題を考慮し、ディスク本体の中心とセンターホールの中心の偏心量調整が可能なテストディスクの提供を目的とする。
【課題を解決するための手段】
【０００７】
この課題を解決するために本発明のテストディスクは、ディスク本体と、前記光ディスク本体未満の径を有するセンターピースと、前記センターピースの内部にセンターホールを備え、前記ディスク本体の中心と前記センターピースの中心との間に、前記ディスク本体の半径及び前記センターピースの半径の差分未満の第１のオフセット量と、前記センターピースの中心と前記センターホールの中心との間に、前記センターピースの半径及び前記センターピースの半径の差分未満の第２のオフセット量とを有し、前記センターピースの外周に沿って前記センターピースが回転可能な構成を備える。
【発明の効果】
【０００８】
本発明のテストディスクは、ディスク本体の中心とセンターピースの中心との第１のオフセット量、センターピースの中心とセンターホールの中心との第２のオフセット量、及びディスク本体に対するセンターピースの回転角度の関係から光ディスク装置における任意の偏心量が極めて簡単に測定することができ、偏心調整行程に要する時間を極めて短くすることができる。
【発明を実施するための最良の形態】
【０００９】
本発明のテストディスクは、ディスク本体と、前記光ディスク本体未満の径を有するセンターピースと、前記センターピースの内部にセンターホールを備え、前記ディスク本体の中心と前記センターピースの中心との間に、前記ディスク本体の半径及び前記センターピースの半径の差分未満の第１のオフセット量と、前記センターピースの中心と前記センターホールの中心との間に、前記センターピースの半径及び前記センターピースの半径の差分未満の第２のオフセット量とを有し、前記センターピースの外周に沿って前記センターピースが回転可能な構成を備えるため、光ディスク装置に載置するだけで、ディスク本体に対してセンターピースを円周方向に任意に回転することで、回転角度、第１のオフセット量及び第２のオフセット量からディスク本体の中心とセンターホールの中心の偏心量を極めて簡単に測定することができ、測定に応じて調整を可能となし得るテストディスクを実現することができる。
【００１０】
以下、本発明の実施の形態について、図１〜図４を用いて説明する。これらの図において、１０１はディスク本体、１０２はセンターピース、１０３はセンターホール、Ｏはディスク本体１０１の中心、Ｐはセンターピース１０２の中心、Ｑはセンターホール１０３の中心である。ディスク本体１０１の中心Ｏ、センターピース１０２の中心Ｐ及びセンターホールＱの中心を結ぶ直線ｋと直交し、ディスク本体１０１の中心Ｏを通る直線をｌ、直線ｋと直交しセンターピース１０２の中心Ｐを通る直線をｍ、直線ｋと直交しセンターホール１０３の中心級を通る直線をｎとすると、直線ｌと直線ｍとの間にはαだけの距離（以下、オフセットαと称す）、直線ｍと直線ｎとの間にはβだけの距離（以下、オフセットβと称す）を備えている。なお、本実施例のテストディスクは、図２に示すように、ディスク本体１０１とセンターピース１０２とは、センターピース１０２の外周沿って回転可能な嵌合を有する。
【００１１】
以上のように構成されたテストディスクについて、以下その動作を説明する。図３及び図４はセンターピース１０２とセンターホール１０３とを拡大した要部拡大図であり、センターピース１０２の外側にはディスク本体１０１が存在する。図３のようにディスク本体１の中心Ｏ、センターピース２の中心Ｐ、及びセンターホール３の中心Ｑが同一直線上に位置し、ディスク本体１の中心Ｏとセンターホール３の中心Ｑとの間にセンターピース２の中心Ｐが位置する関係となるように、センターピース２の回転角度を設定した場合を角度０（ｒａｄ）と定義し、図４のようにディスク本体１０１に対しセンターピース１０２を反時計回りに回転させ、ディスク本体１０１の中心Ｏ及びセンターホール１０２の中心Ｐを結ぶ直線ｋと、センターピース１０２の中心Ｐ及びセンターホールの中心Ｑを結ぶ直線ｉとが成すセンターピース１０２の回転角度θ（ｒａｄ）を定義する。上述の定義によれば、図３ではディスク本体１０１の中心Ｏとセンターホール１０３の中心Ｑとの偏心量γはα＋βで与えられ、図４ではディスク本体１０１の中心Ｏとセンターホール１０３の中心Ｑとの偏心量γは｛（α＋βｃｏｓθ）2＋（βｓｉｎθ）2｝1/2で得られる。すなわち、本実施例のテストディスクを用いると、光ディスク装置に装着し回転させるだけで、当該光ディスク装置のディスク回転手段（スピンドルモータの回転軸とターンテーブル等のディスク載置部材）における偏心量γが、｜α−β｜以上（α＋β）以下の範囲として測定することができる。すなわち、偏心量の大きさは上述の式により｜α−β｜以上（α＋β）以下で測定でき、偏心の向きも角度θにより検出することができる。なお、上述したようにオフセットαは距離であるので０以上でディスク本胆１０１の半径とセンターピース１０２の半径との差分未満であり、オフセットβも距離であるので０以上でセンターピース１０２の半径とセンターホール１０３の半径との差分未満である。また、オフセットα及びオフセットβを同一にしてもよいが、同一にするとオフセットαとオフセットβとが互いに打ち消し合い偏心量γの最小値が０となるため、微弱な偏心量γを測定するためにはオフセットαとオフセットβとを異なる値にする方が好ましい。
【００１２】
以上説明したように、本発明のテストディスクを適用すると、予め設定した第１のオフセット量及び第２のオフセット量と、光るディスク装置で測定した角度とにより、当該光ディスク装置の偏心量が極めて簡単・精密に測定することができ、測定値に応じて光ディスク装置の偏心調整を行えるため、偏心調整に要する時間短縮と、それによる工数削減、ひいては光ディスク装置のコストも安価にすることができる。
【産業上の利用可能性】
【００１３】
モータの回転を伝達する被駆動体に本発明のテストディスクを装着するだけで、当該被駆動体の偏心量を極めて簡単に測定するとができる。
【図面の簡単な説明】
【００１４】
【図１】本発明の一実施形態におけるテストディスクの構成および動作例図
【図２】同実施形態におけるテストディスクの動作図
【図３】同実施形態のテストディスクにおける一測定例を説明する要部拡大図
【図４】同実施形態のテストディスクにおける他の測定例を説明する要部拡大図
【図５】従来のテストディスクの構成図
【符号の説明】
【００１５】
１  ディスク本体
２  センターピース
３  センターホール
【図１】
2006134489.tif 000003
【図２】
2006134489.tif 000004
【図３】
2006134489.tif 000005
【図４】
2006134489.tif 000006
【図５】
2006134489.tif 000007